(57)【特許請求の範囲】
【請求項１】
操作軸の一端にグリップと切換スイッチを設けた操作レバーであって、
上記操作軸に軸方向の係止溝が形成されると共に、上記切換スイッチに、この切換スイッチを操作軸の管内に嵌入するときに上記係止溝に係合する係止突起が形成される一方、上記グリップを操作軸にねじ込んだときに、このグリップと操作軸との間で切換スイッチが挟持されると共に、この切換スイッチの操作ボタンがグリップの挿入穴から外部に露出するようになっていることを特徴とする操作レバー。
【請求項２】
操作軸の一端にグリップと切換スイッチを設けた操作レバーであって、
上記操作軸は、一方端において、外周の所定長が雄ねじになっていると共に、係止溝が軸方向に端面から所定長にわたって形成されており、
上記切換スイッチは、鍔を設けた筒状の本体ケースを有し、この本体ケースの鍔側の一端面に、切換操作を行うための操作ボタンが設けられていると共に、上記本体ケースの外周に上記操作軸の係止溝に対応する係止突起が設けられ、上記本体ケースの他端面には電線が接続されており、
上記グリップは、操作ボタン挿入口と、この挿入口に連通し上記鍔の外径より大きい内径からなり、該鍔の端面を係止するための端面を有する鍔係止部と、内周に操作軸の雄ねじと螺合する雌ねじとが形成されており、
上記操作軸の係止溝と切換スイッチの本体ケースの係止突起を係合させ、切換スイッチの本体ケースが電線と共に操作軸の管内に嵌入されており、操作軸の雄ねじとグリップの雌ねじを螺合させてねじ込むことによって切換スイッチの本体ケースの鍔の両端面が、操作軸の端面とグリップの鍔係止部によって挟持されて、操作ボタンがグリップの操作ボタン挿入口から外部に露出する構成になっていることを特徴とする操作レバー。
【発明の詳細な説明】
【０００１】
【発明の属する技術分野】
本発明は、グリップに切換スイッチを備えた操作レバーに関する。
【０００２】
【従来の技術】
操作レバーには、グリップに電気信号によって機能の切換を行う切換スイッチを設けたものがあり、例えば車両の場合には、オーバードライブのＯＮ／ＯＦＦの切換スイッチを備えたシフトレバー、２輪駆動と４輪駆動の切換スイッチを備えたシフトレバー、洗浄液噴射のＯＮ／ＯＦＦの切換スイッチを備えたワイパー用操作レバー、前照灯の点灯状態を切り替える機能を備えた照明用操作レバー等がある。
【０００３】
図４は、この従来の操作レバー９０の構成例を側断面図で示しており、管状の操作軸９３の一端にグリップ９２と切換スイッチとしての押しボタン式スイッチ９１が設けられている。
【０００４】
具体的には、操作軸９３は、図５（ｃ）に示すように、外径ｄ１５、内径Ｄ１４の管状で、一方端に長さＬ１３'、ねじ径ｍ１３の雄ねじ９３ａが形成されている。
【０００５】
押しボタン式スイッチ９１は、図５（ａ）に示すように、外径ｄ１１、長さＬ１４の円筒状の本体ケース９１ｂを有し、一端面の略中央に外径ｄ１０、長さＬ１５の押しボタン９１ａが設けられており、他端面には電線９１ｃが接続されている。
【０００６】
グリップ９２は、図５（ｂ）に示すように、略筒状で、一端面には、押しボタン式スイッチ９１を挿入して嵌合により固定するための内径Ｄ１１、長さＬ１１の取付部９２ａと、この取付部９２ａに連通し、その内径Ｄ１１より小さい内径Ｄ１２、長さＬ１２の貫通口９２ｂと、内周に操作軸９３の雄ねじ９３ａと螺合する長さＬ１３、ねじ径Ｍ１３の雌ねじ９２ｃとが、同心状に形成されている。
【０００７】
上記操作軸９３の雄ねじ９３ａとグリップ９２の雌ねじ９２ｃを螺合させて、グリップ９２の端面Ｓ１４と操作軸９３の端面Ｓ１３が当たる位置までねじ込んで、グリップ９２を操作軸９３に固定する。
【０００８】
次に、電線９１ｃを操作軸９３の管内に通して、グリップ９２の取付部９２ａに、押しボタン式スイッチ９１の本体ケース９１ｂを、その下面Ｓ１２が取付部９２ａの底面Ｓ１１に達する位置まで圧入して、押しボタン式スイッチ９１をグリップ９２に嵌合により固定し、押しボタン９１ａがグリップ９２の端面から外部に露出した状態にする。これにより、組立が完了し、図４に示す操作レバー９０が得られる。
【０００９】
【発明が解決しようとする課題】
しかしながら、上記した従来の操作レバー９０にあっては、操作軸９３の雄ねじ９３ａにグリップ９２の雌ねじ９２ｃをねじ込んで両者を固定する構造をとっているため、このねじ固定部がゆるむと、グリップ９２に嵌合固定された押しボタン式スイッチ９１がグリップ９２と共に回転して、このスイッチ９１に接続された電線９１ｃがねじれて断線するおそれがあった。
【００１０】
そこで、こうした不具合を解消するために、操作軸９３の雄ねじ９３ａにねじロック材を塗ってグリップ９２の雌ねじ９２ｃをねじ込んで両者を固定する方法をとることがあるが、この場合には、操作レバー９０におけるグリップ９２や押しボタン式スイッチ９１の交換が容易にできなくなるという問題が生じる。
【００１１】
更には、作業者が組立順序を間違えて、押しボタン式スイッチ９１をグリップ９２に嵌合固定した後に、操作軸９３の雄ねじ９３ａにグリップ９２の雌ねじ９２ｃをねじ込んで組み立てると、このスイッチ９１に接続された電線９１ｃがねじれて断線するおそれがあった。
【００１２】
本発明は、こうした従来技術の課題を解決するものであり、操作軸とグリップのねじ固定部がゆるんだときにあっても、切換スイッチの電線がねじれて断線することがなく、かつ操作レバーにおけるグリップや切換スイッチの交換を簡単に行うことができる簡素な構成で組立の容易な操作レバーを提供することを目的とする。
【００１３】
【課題を解決するための手段】
本発明は、操作軸の一端にグリップと切換スイッチを設けた操作レバーであって、上記操作軸に軸方向の係止溝が形成されると共に、上記切換スイッチに、この切換スイッチを操作軸の管内に嵌入するときに上記係止溝に係合する係止突起が形成される一方、上記グリップを操作軸にねじ込んだときに、このグリップと操作軸との間で切換スイッチが挟持されると共に、この切換スイッチの操作ボタンがグリップの挿入穴から外部に露出するようになっている。
【００１４】
上記構成によれば、操作軸に対する切換スイッチの回転位相が、操作軸の係止溝と切換スイッチの係止突起の係合により規制されているので、操作軸とグリップのねじ固定部がゆるんでグリップが回ったとしても、切換スイッチが一緒になって回ることがないので、切換スイッチに接続された電線がねじれて断線することがなくなる。
【００１５】
また、ねじロック材を用いることなく、操作軸の雄ねじとグリップの雌ねじを螺合させてねじ込むことによって、切換スイッチをグリップと操作軸との間で挟持して、操作軸に切換スイッチとグリップを固定する構成をとっているため、グリップを回してねじを緩めて操作軸から外せば、結合されていた各部材が分解されるので、操作レバーにおけるグリップや切換スイッチの交換を簡単に行うことが可能となる。
【００１６】
更には、操作レバーの構造上から一定の組立順序が規定されるため、組立作業が容易となり、従来構成のように組立順序を間違えることによる不具合が生じることもなくなる。
【００１７】
より具体的には、本発明の操作レバーは、操作軸の一端にグリップと切換スイッチを設けたものであって、上記操作軸は、一方端において、外周の所定長が雄ねじになっていると共に、係止溝が軸方向に端面から所定長にわたって形成されており、上記切換スイッチは、鍔を設けた筒状の本体ケースを有し、この本体ケースの鍔側の一端面に、切換操作を行うための操作ボタンが設けられていると共に、上記本体ケースの外周に上記操作軸の係止溝に対応する係止突起が設けられ、上記本体ケースの他端面には電線が接続されており、上記グリップは、操作ボタン挿入口と、この挿入口に連通し上記鍔の外径より大きい内径からなり、該鍔の端面を係止するための端面を有する鍔係止部と、内周に操作軸の雄ねじと螺合する雌ねじとが形成されており、上記操作軸の係止溝と切換スイッチの本体ケースの係止突起を係合させ、切換スイッチの本体ケースが電線と共に操作軸の管内に嵌入されており、操作軸の雄ねじとグリップの雌ねじを螺合させてねじ込むことによって切換スイッチの本体ケースの鍔の両端面が、操作軸の端面とグリップの鍔係止部によって挟持されて、操作ボタンがグリップの操作ボタン挿入口から外部に露出する構成になっている。
【００１８】
この構成によれば、先と同様の作用効果を奏することに加えて、操作軸の雄ねじとグリップの雌ねじを螺合させてねじ込むことによって、切換スイッチの本体ケースの鍔の両端面を操作軸の端面とグリップの鍔係止部によってより確実に挟持して、操作軸に切換スイッチとグリップを固定することが可能となる。
【００１９】
【発明の実施の形態】
以下に、本発明の実施の形態を図面に基づいて具体的に説明する。
【００２０】
（第１の実施形態）
図１は、本発明の第１の実施形態による操作レバー１０の構成例を側断面図で示しており、管状の操作軸１３の一端にグリップ１２と切換スイッチ１１が設けられている。
【００２１】
具体的には、上記操作軸１３は、図２（ｃ）及び図１に示すように、外径ｄ６、内径Ｄ５の管状で、一方端において、雄ねじ１３ａが端面Ｓ５から長さＬ３’、ねじ径ｍ３で形成されていると共に、係止溝１３ｃが軸方向に端面Ｓ５から長さＬ５にわたって形成されている。
【００２２】
上記切換スイッチ１１は、電気信号によって機能の切換を行うものであって、例えば図２（ｂ）に示すように、押しボタン式スイッチで構成することができ、鍔１１ｂを設けた円筒状の本体ケース１１ｃを有し、鍔１１ｂ側の一端面の略中央に機能の切換操作を行うための押しボタン等の操作ボタン１１ａが設けられていると共に、本体ケース１１ｃの外周の適所に係止突起１１ｄが設けられ、他端面には電線１１ｅが接続されている。尚、この切換スイッチ１１は、ロータリー式スイッチで構成してもよく、その場合には操作ボタン１１ａを回して機能の切換を行う。
【００２３】
上記グリップ１２は、図２（ａ）及び図１に示すように、略筒状で、一端面に設けられた外径Ｄ１、深さＬ１の操作ボタン挿入口１２ａと、この挿入口１２ａに連通し上記鍔１１ｂの外径ｄ２より大きい内径Ｄ２からなり、鍔１１ｂの端面Ｓ３を係止するための端面Ｓ１を有する外径Ｄ２、深さＬ２の鍔係止部１２ｂと、操作軸１３の雄ねじ１３ａと螺合する長さＬ３、ねじ径Ｍ３の雌ねじ１２ｃと、外径Ｄ４、深さＬ４の穴１２ｄが同心状に形成されている。
【００２４】
図１に示すように、この操作レバー１０は、上記操作軸１３の係止溝１３ｃと切換スイッチ１１の係止突起１１ｄの係合により、操作軸１３に対する切換スイッチ１１の回転位相が規制された状態で、切換スイッチ１１の本体ケース１１ｃが電線１１ｅと共に操作軸１３の管内に嵌入されており、操作軸１３の雄ねじ１３ａとグリップ１２の雌ねじ１２ｃを螺合させてねじ込むことによって切換スイッチ１１の鍔１１ｂの両端面Ｓ３、Ｓ４が、操作軸１３の端面Ｓ５とグリップ１２の鍔係止部１２ｂの端面Ｓ１によって挟持されて、操作ボタン１１ａがグリップ１２の操作ボタン挿入口１２ａから外部に露出する構成になっている。
【００２５】
この操作レバー１０によれば、操作軸１３に対する切換スイッチ１１の回転位相が、操作軸１３の係止溝１３ｃと切換スイッチ１１の係止突起１１ｄの係合により規制されているので、操作軸１３とグリップ１２のねじ固定部がゆるんでグリップ１２が回ったとしても、切換スイッチ１１が一緒になって回ることがないので、切換スイッチ１１に接続された電線１１ｅがねじれて断線することがなくなる。
【００２６】
また、ねじロック材を用いることなく、操作軸１３の雄ねじ１３ａとグリップ１２の雌ねじ１２ｃを螺合させてねじ込むことによって、切換スイッチ１１の鍔１１ｂの両端面Ｓ３、Ｓ４を操作軸１３の端面Ｓ５とグリップ１２の鍔係止部１２ｂの端面Ｓ１によって挟持して、操作軸１３に切換スイッチ１１とグリップ１２を固定する構成をとっているため、グリップ１２を回してねじを緩めて操作軸１３から外せば、結合されていた各部材が分解されるので、操作レバー１０におけるグリップ１２や切換スイッチ１１の交換を簡単に行うことができる。
【００２７】
更には、操作レバー１０の構造上から一定の組立順序が規定されるため、組立作業が容易となり、図４に示す従来の操作レバー９０のように組立順序を間違えることによる不具合が生じることもなくなる。
【００２８】
（第２の実施形態）
図３は、本発明の第２の実施形態による操作レバー２０の構成例を示す側断面図である。
【００２９】
この操作レバー２０は、管状の操作軸２３の一端にグリップ２２と切換スイッチ２１を設けており、先に説明した第１の実施形態による操作レバー１０に対し、鍔のない本体ケース２１ｃからなる切換スイッチ２１を用い、それを挟持するためにグリップ２２及び操作軸２３の形状を変えている点で相違し、その他の構成を操作レバー１０の場合と同様とするものである。
【００３０】
具体的には、上記切換スイッチ２１は、電気信号によって機能の切換を行うものであって、外径ｄ７、長さＬ８の円筒状の本体ケース２１ｃを有し、一端面の略中央に機能の切換操作を行うための外径ｄ１、長さＬ９の操作ボタン２１ａが設けられていると共に、本体ケース２１ｃの外周の適所に係止突起２１ｄが設けられ、他端面には電線２１ｅが接続されている。
【００３１】
上記操作軸２３は、一方端において、端面から長さＬ３までの外周がねじ径ｍ３の雄ねじ２３ａになっていると共に、端面から長さＬ１０までの内径Ｄ７が上記本体ケース２１ｃの外径ｄ７に対応しており、その内径部の端面Ｓ９が本体ケース２１ｃを係止する係止部２３ｄになっており、かつ上記切換スイッチ２１の係止突起２１ｄに対応する係止溝２３ｃが軸方向に端面から長さＬ５までにわたって形成されている。
【００３２】
上記グリップ２２は、略筒状で、一端面に設けられた内径Ｄ１、長さＬ７の操作ボタン挿入口２２ａと、この挿入口２２ａに連通して操作軸２３の雄ねじ２３ａと螺合する雌ねじ２２ｃと、外径Ｄ４、深さＬ４の穴２２ｄが同心状に形成され、この挿入口２２ａの周囲の内部端面が本体ケース２１ｃの端面Ｓ７を係止するための係止端面Ｓ６となっている。
【００３３】
図３に示すように、この操作レバー２０は、上記操作軸２３の係止溝２３ｃと切換スイッチ２１の係止突起２１ｄの係合により、操作軸２３に対する切換スイッチ２１の回転位相が規制された状態で、切換スイッチ２１の本体ケース２１ｃが電線１１ｅと共に操作軸２３の管内に嵌入されており、操作軸２３の雄ねじ２３ａとグリップ２２の雌ねじ２２ｃを螺合させてねじ込むことによって本体ケース２１ｃの両端面Ｓ７、Ｓ８が、操作軸２３の係止部２３ｄの端面Ｓ９とグリップ２２の係止端面Ｓ６によって挟持されて、操作ボタン２１ａがグリップ２２の操作ボタン挿入口２２ａから外部に露出する構成になっている。
【００３４】
この操作レバー２０によれば、先に説明した操作レバー１０の場合と同様の作用効果を奏することに加えて、グリップ２２及び切換スイッチ２１の形状を単純化して、操作レバー２０の全体構成のより一層の簡素化を図ることができる。
【００３５】
以上、本発明の操作レバーは、上記した各実施形態の具体的構成に限定されるものではなく、必要に応じ適宜構成を変形、追加又は削除した構成としてもよいことは言うまでもない。
【００３６】
例えば、上記では、切換スイッチの係止突起を、本体ケースの外周に２本の軸を突出させる形状とする例を示したが、本発明はこれに限定されるものではなく、係止突起の形状や数は適宜変更してもよい。
【００３７】
また、上記では、操作軸に設けた軸方向の係止溝が径方向に軸を横断するように形成する例を示したが、本発明はこれに限定されるものではなく、操作軸の内径部の軸方向にキー溝を設ける構成としてもよい。
【００３８】
【発明の効果】
以上説明したように、本発明の操作レバーによれば、操作軸に対する切換スイッチの回転位相が、操作軸の係止溝と切換スイッチの係止突起の係合により規制されているので、操作軸とグリップのねじ固定部がゆるんでグリップが回ったとしても、切換スイッチが一緒になって回ることがないので、切換スイッチに接続された電線がねじれて断線することがなくなる。
【００３９】
また、ねじロック材を用いることなく、操作軸の雄ねじとグリップの雌ねじを螺合させてねじ込むことによって、切換スイッチをグリップと操作軸との間で挟持して、操作軸に切換スイッチとグリップを固定する構成をとっているため、グリップを回してねじを緩めて操作軸から外せば、結合されていた各部材が分解されるので、操作レバーにおけるグリップや切換スイッチの交換を簡単に行うことができる。
【００４０】
更には、操作レバーの構造上から一定の組立順序が規定されるため、組立作業が容易となり、従来構成のように組立順序を間違えることによる不具合が生じることもなくなる。
【００４１】
また、上記第１の実施形態として説明した鍔のある本体ケースからなる切換スイッチを用いる構成にあっては、上記の作用効果を奏することに加えて、操作軸の雄ねじとグリップの雌ねじを螺合させてねじ込むことによって、切換スイッチの鍔の両端面を操作軸の端面とグリップの鍔係止部によってより確実に挟持して、操作軸に切換スイッチとグリップを固定することができる。
【００４２】
加えて、上記第２の実施形態として説明した鍔のない本体ケースからなる切換スイッチを用いる構成にあっては、上記の作用効果を奏することに加えて、グリップ及び切換スイッチの形状を単純化して、操作レバーの全体構成のより一層の簡素化を図ることができる。
【図面の簡単な説明】
【図１】本発明の第１の実施形態による操作レバーの構成例を示す側断面図である。
【図２】本発明の第１の実施形態による操作レバーの各部材の構成例を示す斜視図であって、（ａ）はグリップを、（ｂ）は切換スイッチを、（ｃ）は操作軸を表す。
【図３】本発明の第２の実施形態による操作レバーの構成例を示す側断面図である。
【図４】従来の操作レバーの構成例を示す側断面図である。
【図５】従来の操作レバーの各部材の構成例を示す斜視図であって、（ａ）はグリップを、（ｂ）は切換スイッチを、（ｃ）は操作軸を表す。
【符号の説明】
１０、２０  操作レバー
１１、２１  切換スイッチ
１１ａ、２１ａ  操作ボタン
１１ｂ  鍔
１１ｃ、２１ｃ  本体ケース
１１ｄ、２１ｄ  係止突起
１１ｅ、２１ｅ  電線
１２、２２  グリップ
１２ａ、２２ａ  操作ボタン挿入口
１２ｂ  鍔係止部
１２ｃ、２２ｃ  雌ねじ
１３、２３  操作軸
１３ａ、２３ａ  雄ねじ
１３ｃ、２３ｃ  係止溝
２３ｄ  係止部
【図１】
0004445626.tif 000002
【図２】
0004445626.tif 000003
【図３】
0004445626.tif 000004
【図４】
0004445626.tif 000005
【図５】
0004445626.tif 000006